(57)【要約】【課題】新聞広告とユーザとの接触機会を安価な費用で長期間に渡って増やす。【解決手段】本発明は、少なくとも新聞広告主名と新聞広告の商品又はサービスの種類又は名称と新聞広告の掲載日をキーワードとして含む新聞広告原稿のデータを受信する新聞広告データ受信手段１６と、新聞広告原稿のデータを格納する新聞広告データ格納手段１７と、ユーザ端末１３から入力されたキーワードを含む新聞広告原稿のデータを新聞広告データ格納手段１７から検索する新聞広告データ検索手段１８と、新聞広告データ検索手段１８が検索した新聞広告原稿のデータをＷｅｂブラウザで表示可能なファイル形式の出力ファイルに編集する新聞広告データ編集手段１９と、新聞広告データ編集手段１９が編集した出力ファイルをユーザ端末１３からの要求に応じてユーザ端末１３に配信する新聞広告データ配信手段２０とを備えていることを特徴とする。【選択図】図１
2010170440.tif 000002
【特許請求の範囲】
【請求項１】
情報通信ネットワークを介して新聞広告原稿のデータを配信するための新聞広告配信システムであって、
新聞広告主の端末又は広告代理店や新聞広告制作会社の端末から入力された、少なくとも新聞広告主名と新聞広告の商品又はサービスの種類又は名称と新聞広告の掲載日をキーワードとして含む新聞広告原稿のデータを受信する新聞広告データ受信手段と、
該新聞広告データ受信手段が受信した前記新聞広告原稿のデータを格納する新聞広告データ格納手段と、
ユーザ端末から入力されたキーワードを含む新聞広告原稿のデータを前記新聞広告データ格納手段から検索する新聞広告データ検索手段と、
該新聞広告データ検索手段が検索した前記新聞広告原稿のデータをＷｅｂブラウザで表示可能なファイル形式の出力ファイルに編集する新聞広告データ編集手段と、
該新聞広告データ編集手段が編集した前記出力ファイルを前記ユーザ端末からの要求に応じて該ユーザ端末に配信する新聞広告データ配信手段と、
を備えていることを特徴とする新聞広告配信システム。
【請求項２】
情報通信ネットワークを介して新聞広告原稿のデータを配信するための新聞広告配信方法であって、
新聞広告主の端末又は広告代理店や新聞広告制作会社の端末から入力された、少なくとも新聞広告主名と新聞広告の商品又はサービスの種類又は名称と新聞広告の掲載日をキーワードとして含む新聞広告原稿のデータを新聞広告データ受信手段が受信するステップと、
該新聞広告データ受信手段が受信した前記新聞広告原稿のデータを新聞広告データ格納手段が格納するステップと、
ユーザ端末から入力されたキーワードを含む新聞広告原稿のデータを新聞広告データ検索手段が前記新聞広告データ格納手段から検索するステップと、
前記新聞広告データ検索手段が検索した前記新聞広告原稿のデータを新聞広告データ編集手段がＷｅｂブラウザで表示可能なファイル形式の出力ファイルに編集するステップと、
前記新聞広告データ編集手段が編集した前記出力ファイルを新聞広告データ配信手段が前記ユーザ端末からの要求に応じて該ユーザ端末に配信するステップと、
を備えていることを特徴とする新聞広告配信方法。
【請求項３】
請求項２に記載の各ステップをコンピュータに実行させるための新聞広告配信プログラム。
【発明の詳細な説明】
【技術分野】
【０００１】
本発明は、インターネット等の情報通信ネットワークを介して新聞広告原稿のデータを配信するための新聞広告配信システム及びその方法並びに新聞広告配信プログラムに関するものである。
【背景技術】
【０００２】
従来、新聞広告は、広告主である企業等から依頼された広告代理店や新聞広告制作会社が新聞広告原稿を作成し、新聞に掲載されるのが一般的である（例えば、非特許文献１参照）。
【先行技術文献】
【非特許文献】
【０００３】
【非特許文献１】株式会社朝日アド・サービスのウェブサイト（URL：http://www.asahi-ad-s.co.jp/guidance/index.html）
【発明の概要】
【発明が解決しようとする課題】
【０００４】
しかしながら、上記した従来の新聞広告、とりわけ主要な全国版の新聞における広告の掲載費用は高額なため、広告主にとっては頻繁に新聞広告を出すのが難しいといった問題があった。
【０００５】
また、同時に通常の新聞は日刊であるため、消費者が広告を保存しない限り、消費者との接触機会は概ね一日しかなく、広告にとって極めて重要な反復効果を十分に得難いといった問題があった。
【０００６】
さらに、地方紙や専門紙に掲載される広告の場合には、発行対象外の消費者との接触機会を持ち得ないといった問題もあった。
【０００７】
さらにまた、新聞は紙媒体として保存することはできるが、整理されず保存された場合には再読したい広告を探すのに手間が掛かり、また、廃棄された後は、図書館で閲覧しなければならず、再読が手軽に行えないといった問題もあった。
【０００８】
本発明は、上記した課題を解決すべくなされたものであり、新聞広告原稿のデータをインターネット等の情報通信ネットワークを介して配信することにより、新聞広告と消費者との接触機会を安価な費用で長期間に渡って増やすと共に、新聞非購読者、発行対象以外の消費者との間にも新聞広告との接触機会を生み出すことを可能とし、消費者に対しては望む広告の閲覧・再読を容易に可能にすることのできる新聞広告配信システム及びその方法並びに新聞広告配信プログラムを提供することを目的とするものである。
【課題を解決するための手段】
【０００９】
上記した目的を達成するため、本発明は、情報通信ネットワークを介して新聞広告原稿のデータを配信するための新聞広告配信システムであって、新聞広告主の端末又は広告代理店や新聞広告制作会社の端末から入力された、少なくとも新聞広告主名と新聞広告の商品又はサービスの種類又は名称と新聞広告の掲載日をキーワードとして含む新聞広告原稿のデータを受信する新聞広告データ受信手段と、該新聞広告データ受信手段が受信した前記新聞広告原稿のデータを格納する新聞広告データ格納手段と、ユーザ端末から入力されたキーワードを含む新聞広告原稿のデータを前記新聞広告データ格納手段から検索する新聞広告データ検索手段と、該新聞広告データ検索手段が検索した前記新聞広告原稿のデータをＷｅｂブラウザで表示可能なファイル形式の出力ファイルに編集する新聞広告データ編集手段と、該新聞広告データ編集手段が編集した前記出力ファイルを前記ユーザ端末からの要求に応じて該ユーザ端末に配信する新聞広告データ配信手段とを備えていることを特徴とする。
【００１０】
また、本発明は、情報通信ネットワークを介して新聞広告原稿のデータを配信するための新聞広告配信方法であって、新聞広告主の端末又は広告代理店や新聞広告制作会社の端末から入力された、少なくとも新聞広告主名と新聞広告の商品又はサービスの種類又は名称と新聞広告の掲載日をキーワードとして含む新聞広告原稿のデータを新聞広告データ受信手段が受信するステップと、該新聞広告データ受信手段が受信した前記新聞広告原稿のデータを新聞広告データ格納手段が格納するステップと、ユーザ端末から入力されたキーワードを含む新聞広告原稿のデータを新聞広告データ検索手段が前記新聞広告データ格納手段から検索するステップと、前記新聞広告データ検索手段が検索した前記新聞広告原稿のデータを新聞広告データ編集手段がＷｅｂブラウザで表示可能なファイル形式の出力ファイルに編集するステップと、前記新聞広告データ編集手段が編集した前記出力ファイルを新聞広告データ配信手段が前記ユーザ端末からの要求に応じて該ユーザ端末に配信するステップとを備えていることを特徴とする。
【００１１】
さらに、本発明は、上記した各ステップをコンピュータに実行させるための新聞広告配信プログラムである。
【発明の効果】
【００１２】
本発明によれば、新聞広告原稿のデータを情報通信ネットワークを介して配信することにより、新聞広告とユーザとの接触機会を安価な費用で長期間に渡って増やすと共に、新聞非購読者、発行対象以外のユーザとの間にも新聞広告との接触機会を生み出すことを可能とする。
【００１３】
一方、ユーザに対しては望む広告の閲覧・再読を容易に可能にすることができ、便宜性の向上を図ることができる。
【図面の簡単な説明】
【００１４】
【図１】本発明の実施の形態に係る新聞広告配信システムを示す模式図である。
【図２】本発明の実施の形態に係る新聞広告配信方法を示すフローチャートである。
【発明を実施するための形態】
【００１５】
以下、図面を参照しつつ、本発明の実施の形態について説明する。
【００１６】
図１は本発明の実施の形態に係る新聞広告配信システムを示す模式図であり、この新聞広告配信システム１０は、企業等の新聞広告主の端末１１と、広告代理店や新聞広告制作会社の端末１２と、消費者等のユーザ端末１３と、サイト運営者のサーバ１４とがインターネット等の情報通信ネットワーク１５を介して相互に接続されて構成されており、サイト運営者のサーバ１４は新聞広告配信プログラムをインストールすることにより新聞広告配信システムとして機能するようになっている。
【００１７】
サイト運営者のサーバ１４は、新聞広告主の端末１１又は広告代理店や新聞広告制作会社の端末１２から入力された新聞広告原稿のデータを受信する新聞広告データ受信部１６と、新聞広告データ受信部１６が受信した前記新聞広告原稿のデータを格納する新聞広告データ格納部１７と、ユーザ端末１３からの要求に応じて新聞広告原稿のデータを新聞広告データ格納部１７から検索する新聞広告データ検索部１８と、新聞広告データ検索部１８が検索した前記新聞広告原稿のデータをＷｅｂブラウザで表示可能なファイル形式の出力ファイルに編集する新聞広告データ編集部１９と、新聞広告データ編集部１９が編集した前記出力ファイルを前記ユーザ端末１３からの要求に応じて該ユーザ端末１３に配信する新聞広告データ配信部２０とを備えている。
【００１８】
次に、図１及び図２を参照しつつ、本発明の実施の形態に係る新聞広告配信方法について説明する。ここで、図２は本発明の実施の形態に係る新聞広告配信方法を示すフローチャートである。
【００１９】
先ず、企業等の新聞広告主の端末１１又はその新聞広告主から依頼を受けた広告代理店や新聞広告制作会社の端末１２において入力された新聞広告原稿を電子化したデータが情報通信ネットワーク１５を介して送信されると（Ｓ１０１）、この新聞広告原稿データはサイト運営者のサーバ１４の新聞広告データ受信部１６によって受信され（Ｓ１０２）、新聞広告データ格納部１７に格納される（Ｓ１０３）。なお、この時、新聞広告主の端末１１又は広告代理店や新聞広告制作会社の端末１２において入力される新聞広告原稿のデータには、少なくとも新聞広告主名と、新聞広告の商品又はサービスの種類又は名称と、新聞広告の掲載日がキーワードとして含まれており、さらに、新聞広告主のウェブサイトのアドレスや新聞広告の商品又はサービスを紹介するウェブサイトのアドレスなどの情報も含まれているのが好ましい。また、前記新聞広告原稿のデータは、例えば、ＰＤＦファイル形式のように所定の操作によって拡大表示され、新聞広告全文を閲覧することができると共に、任意のサイズでプリントアウトすることができるようになっているのが好ましい。
【００２０】
次いで、消費者等によってユーザ端末１３から所定のキーワードが入力されて送信されると（Ｓ１０４）、サイト運営者のサーバ１４では新聞広告データ検索部１８によってこのキーワードを含む新聞広告原稿のデータが新聞広告データ格納部１７の中から検索される（Ｓ１０５）。
【００２１】
この検索の結果、前記キーワードと合致するキーワードを含む新聞広告原稿のデータが見つかった場合には、この新聞広告原稿のデータが新聞広告データ格納部１７から抽出され、新聞広告データ編集部１９によってこの新聞広告原稿のデータはＷｅｂブラウザで表示可能なファイル形式の出力ファイルに編集される（Ｓ１０６）。そして、この出力ファイルのデータはユーザ端末１３からの要求に応じて新聞広告データ配信部２０によって情報通信ネットワーク１５を介してユーザ端末１３に配信され、ユーザ端末１３のブラウザ画面上に新聞広告原稿のデータの出力ファイルが表示される（Ｓ１０７）。
【００２２】
なお、この時、出力ファイルはハイパーリンクを設置されることにより、新聞広告主のウェブサイトのアドレスや新聞広告の商品又はサービスを紹介するウェブサイトのアドレスにユーザ端末１３から即座にアクセスできるように新聞広告データ編集部１９によって編集されていてもよい。
【００２３】
一方、前記ステップ１０５における検索の結果、前記キーワードと合致するキーワードを含む新聞広告原稿のデータが見つからなかった場合には、サイト運営者のサーバ１４から情報通信ネットワーク１５を介してユーザ端末１３に対してエラーメッセージデータが配信され、ユーザ端末１３のブラウザ画面上にエラーメッセージが表示される（Ｓ１０８）。
【００２４】
このように上記した本発明の実施の形態に係る新聞広告配信システム及びその方法並びに新聞広告配信プログラムによれば、新聞広告主が従来では一度しか活用できなかった新聞広告原稿を長期に渡り活用することができ、消費者との接触機会を増大させることが可能となると共に、新聞非購読者や、さらには地方紙や専門紙など発行対象が限られるために訴求できなかった発行対象外の消費者との間にも接触機会を獲得することができる。したがって、広告の費用対効果を格段に高めることができる。
【００２５】
また、本来の新聞広告との相乗効果により、なお一層の訴求効果を得ることが可能となると共に、検索結果画面に表示されるハイパーリンクによって広告主は自社のウェブサイトや自社商品又はサービスのウェブサイトへの集客も図ることができる。
【００２６】
さらに、従来の新聞では広告面が大きくなったり、色数が増えたりすると、広告費が増大するが、本システムは新聞広告原稿のデータを有効に活用することによりデータ格納に要する費用などのシステムの運用コストを抑制することができるため、これらすべての便益を低予算で得ることが可能になると共に、それらを一律安価に設定することも可能となる。
【００２７】
一方、消費者にとっては、例え新聞を廃棄した後でも見たい新聞広告を様々な条件から容易に検索することができ、全文を閲覧したり、プリントアウトしたりすることも可能となると共に、広告を閲覧してより詳細な情報を得たい場合には、ハイパーリンクから広告主のウェブサイトや広告商品又はサービスのウェブサイトに即座にアクセスすることも可能となる。
【符号の説明】
【００２８】
１０          新聞広告配信システム
１１          新聞広告主の端末
１２          広告代理店・新聞広告制作会社の端末
１３          ユーザ端末
１４          サイト運営者のサーバ
１５          情報通信ネットワーク
１６          新聞広告データ受信部
１７          新聞広告データ格納部
１８          新聞広告データ検索部
１９          新聞広告データ編集部
２０          新聞広告データ配信部
【図１】
2010170440.tif 000003
【図２】
2010170440.tif 000004